(57)【要約】【課題】映像表示装置の画像の表示調整を行い易い表示装置を提供する。【解決手段】複数の表示装置が配置されるマルチディスプレイシステムにおける表示装置であって、前記マルチディスプレイに配置される表示装置の配置構成を表す配置情報を取得する配置情報取得部と、前記マルチディスプレイにおける表示装置のうち自機以外の表示装置のなかからOSDメニュー画面の表示を行う表示対象である表示装置を選択する選択部と、自機の調整を行うためのOSDメニュー画面を前記選択された表示対象である表示装置に表示させるメニュー画面表示制御部を有する。【選択図】図１
2017161747.tif 000002
【特許請求の範囲】
【請求項１】
複数の表示装置が配置されるマルチディスプレイシステムにおける表示装置であって、
前記マルチディスプレイに配置される表示装置の配置構成を表す配置情報を取得する配置情報取得部と、
前記マルチディスプレイにおける表示装置のうち自機以外の表示装置のなかからOSDメニュー画面の表示を行う表示対象である表示装置を選択する選択部と、
自機の調整を行うためのOSDメニュー画面を前記選択された表示対象である表示装置に表示させるメニュー画面表示制御部
を有する表示装置。
【請求項２】
OSDメニュー画面に対する操作入力を受付ける入力部を有し、
前記メニュー画面表示制御部は、
前記操作入力に応じた入力結果に対応するOSDメニュー画面を生成し、前記表示対象である表示装置に表示させる
請求項１記載の表示装置。
【請求項３】
前記メニュー画面表示制御部は、
OSDメニュー画面を前記表示対象である表示装置に表示させる際に、自機の表示画面におけるOSDメニュー画面を非表示とする
請求項１または請求項２記載の表示装置。
【請求項４】
前記メニュー画面表示制御部は、
前記OSDメニューのうち自機の表示画面の表示の仕方に関連するメニューに対する操作入力である場合に、前記表示対象である表示装置にOSDメニュー画面を表示させ、前記自機の表示画面の表示の仕方に関連するメニューではない場合に、自機の表示画面にOSDメニュー画面を表示する
請求項１または請求項２記載の表示装置。
【請求項５】
複数の表示装置が配置されるマルチディスプレイシステムにおける表示装置の表示制御方法であって、
配置情報取得部が、前記マルチディスプレイに配置される表示装置の配置構成を表す配置情報を取得し、
選択部が、前記マルチディスプレイにおける表示装置のうち自機以外の表示装置のなかからOSDメニュー画面の表示を行う表示対象である表示装置を選択し、
メニュー画面表示制御部が、自機の調整を行うためのOSDメニュー画面を前記選択された表示対象である表示装置に表示させる
表示装置の表示制御方法。
【発明の詳細な説明】
【技術分野】
【０００１】
本発明は、表示装置、表示装置の表示制御方法に関する。
【背景技術】
【０００２】
複数の映像表示装置を隣接して配置したマルチディスプレイがある（例えば、特許文献１参照）。このようなマルチディスプレイにおいては、各表示装置に識別子（ＩＤ）が設定されることで、各表示装置に対して、個別に映像信号の表示の仕方を制御することができる。ここで、マルチディスプレイシステムにおいては、表示装置それぞれについて個体差があるため、通常、表示色はそれぞれ異なる。そのため、マルチディスプレイにおける映像表示装置の色を個々に調整し、マルチディスプレイ全体の映像表示装置の色を合せていく必要がある。一般的には、調整対象の映像表示装置について、目視により上下左右に配置された映像表示装置と比較を行いながら色の調整を行う。マルチディスプレイでは、色の調整を行うためのメニュー画面であるＯＳＤ（Ｏｎ−Ｓｃｒｅｅｎ  Ｄｉｓｐｌａｙ）メニュー画面を、調整対象の映像表示装置の画面上の一部の領域に表示し、ＯＳＤメニュー画面が表示されていない残りの表示領域と、調整対象の映像表示装置の上下左右方向の映像表示装置の表示領域と比較し、色の調整を行う。
【先行技術文献】
【特許文献】
【０００３】
【特許文献１】特開平６−２１７１９５号公報
【発明の概要】
【発明が解決しようとする課題】
【０００４】
しかしながら、調整対象の映像表示装置の画面上の一部の領域にＯＳＤメニュー画面を表示すると、自機の映像信号を表示できる領域がＯＳＤメニュー画面以外の領域に限られてしまうため、他の映像表示装置の表示領域と比較を行いながら調整を行うことは困難である。そのため、調整を行ったとしても、個々の映像表示装置の見え方のばらつきが大きくなっていた。
【０００５】
本発明は、このような事情に鑑みてなされたもので、その目的は、映像表示装置の画像の表示調整を行い易い表示装置、表示装置の表示制御方法を提供することにある。
【課題を解決するための手段】
【０００６】
上述した課題を解決するために、本発明は、複数の表示装置が配置されるマルチディスプレイシステムにおける表示装置であって、前記マルチディスプレイに配置される表示装置の配置構成を表す配置情報を取得する配置情報取得部と、前記マルチディスプレイにおける表示装置のうち自機以外の表示装置のなかからＯＳＤメニュー画面の表示を行う表示対象である表示装置を選択する選択部と、自機の調整を行うためのＯＳＤメニュー画面を前記選択された表示対象である表示装置に表示させるメニュー画面表示制御部を有する。
【０００７】
また、本発明は、複数の表示装置が配置されるマルチディスプレイシステムにおける表示装置の表示制御方法であって、配置情報取得部が、前記マルチディスプレイに配置される表示装置の配置構成を表す配置情報を取得し、選択部が、前記マルチディスプレイにおける表示装置のうち自機以外の表示装置のなかからＯＳＤメニュー画面の表示を行う表示対象である表示装置を選択し、メニュー画面表示制御部が、自機の調整を行うためのＯＳＤメニュー画面を前記選択された表示対象である表示装置に表示させる。
【発明の効果】
【０００８】
以上説明したように、この発明によれば、調整対象である表示装置には、ＯＳＤメニュー画面を表示せず、その周囲に配置された表示装置にＯＳＤメニュー画面を表示する。これにより、調整対象の表示画面にＯＳＤメニュー画面を表示させる場合に比べて、画面の広い領域にて表示状態を確認しながら調整できるため、画面映像表示装置の画像の表示調整を行い易いという効果が得られる。また、調整を行ない易いため、個々の表示装置どうしにおける見え方のばらつきを低減することもできる。
【図面の簡単な説明】
【０００９】
【図１】この発明の一実施形態によるマルチディスプレイシステムにおける表示装置の配列を示す概略構成図である。
【図２】マルチディスプレイシステムを構成する表示装置の機能を表す機能ブロック図である。
【図３】マルチディスプレイシステムの動作について説明するシーケンス図である。
【図４】調整対象の装置の動作を説明するフローチャートである。
【図５】調整対象の装置がＯＳＤ表示装置を選択するＯＳＤ表示装置選択フローを示すフローチャートである。
【図６】第２実施形態における調整対象の装置の動作を説明するフローチャートである。
【図７】ディスプレイシステムの構成を表す概念図である。
【図８】ＯＳＤメニュー画面をＯＳＤ表示装置に表示する場合について説明する概念図である。
【図９】調整対象の装置とＯＳＤメニュー画面が表示されるＯＳＤ表示装置との関係を説明する概念図である。
【図１０】第３の実施形態における表示装置の構成を表す概略機能ブロック図である。
【発明を実施するための形態】
【００１０】
以下、本発明の一実施形態によるマルチディスプレイシステムについて図面を参照して説明する。図１は、この発明の一実施形態によるマルチディスプレイシステムにおける表示装置の配列を示す概略構成図である。行方向に３台、列方向に３台並べられ、３×３の合計９台の表示装置が配置されている。マルチディスプレイシステムにおいて、左下に配置された表示装置を基準とした場合、表示装置１１は、列方向に１台目、行方向に１台目の位置（１，１）に配置されている。以下同様に、表示装置１２は、列方向に１台目、行方向に２台目の位置（１，２）に配置され、表示装置１３は、列方向に１台目、行方向に３台目の位置（１，２）に配置される。表示装置２１は、列方向に２台目、行方向に１台目の位置（２，１）に配置され、表示装置２２は、列方向に２台目、行方向に２台目の位置（２，２）に配置され、表示装置２３は、列方向に２台目、行方向に３台目の位置（２，３）に配置される。表示装置３１は、列方向に３台目、行方向に１台目の位置（３，１）に配置され、表示装置３２は、列方向に３台目、行方向に２台目の位置（３，２）に配置され、表示装置３３は、列方向に３台目、行方向に３台目の位置（３，３）に配置される。
【００１１】
ここでは、これら９台の表示装置が、表示装置１１、表示装置２１、表示装置３１、表示装置３２、表示装置２２、表示装置１２、表示装置１３、表示装置２３、表示装置３３の順にデイジーチェーン接続される。
【００１２】
図２は、マルチディスプレイシステムを構成する表示装置の機能を表す機能ブロック図である。ここでは、図１に示す９台のうち、表示装置１１、表示装置２１、表示装置３１を図示し、それ以外の表示装置の図示は省略する。リモートコントロール部２は、表示装置のうち少なくともいずれか１つに対して操作信号を送信する。ここでは、リモートコントロール２は、表示装置１１に対して操作信号を送信する。画像出力装置３は、映像信号を表示装置１１に出力する。
【００１３】
表示装置１１において、受信部１１０は、リモートコントロール部２から操作信号を受信し、制御部１１３に出力する。入力部１１１は、ユーザによって操作されるボタンによって構成され、押下された内容を制御部１１３に供給する。出力部１１２は、制御部１１３から出力される情報を表示装置２１の入力部２１１に供給する。制御部１１３は、表示装置１１内の各部を制御する。調整項目１１３ａは、ＯＳＤメニュー画面において表示装置１１における各部調整パラメータの項目である。画像処理部１１４は、画像出力装置３から供給される映像信号について、制御部１１３の指示に応じて当該映像信号の画像処理を行い、その映像信号を表示部１１５に表示する。表示部１１５は、例えば液晶表示パネルであり、各種映像信号を表示する。画像入力部１１６は、画像出力装置３から供給される映像信号を入力し、画像処理部１１４と画像出力部１１７に出力する。画像出力部１１７は、後段に接続された表示装置である表示装置２１の画像入力部２１６に映像信号を出力する。
【００１４】
表示装置２１、表示装置３１は、表示装置１１とほぼ同様の構成を有しており、同じ構成名の機能については、異なる点について説明する。
入力部２１１は、出力部１１２から供給される情報を入力し、制御部２１３に供給する。出力部２１２は、制御部２１３から出力される情報を表示装置３１の入力部３１１に供給する。画像入力部２１６は、画像出力部１１７から供給される映像信号を入力し、画像処理部２１４と画像出力部２１７に出力する。画像出力部２１７は、後段に接続された表示装置である表示装置３１の画像入力部３１６に映像信号を出力する。
【００１５】
入力部３１１は、出力部２１２から供給される情報を入力し、制御部３１３に供給する。出力部３１２は、制御部３１３から出力される情報を表示装置３２の入力部に供給する。画像入力部３１６は、画像出力部２１７から供給される映像信号を入力し、画像処理部３１４と画像出力部３１７に出力する。画像出力部３１７は、後段に接続された表示装置の画像入力部に映像信号を出力する。
【００１６】
次に、図３を用いて上述のマルチディスプレイシステムの動作について説明する。ここでは、ＯＳＤの表示をマルチディスプレイシステムにおける自機以外の表示装置のうち、他の表示装置からの指示に応じてＯＳＤメニュー画面を表示する表示装置（以下、ＯＳＤ表示装置ともいう）に依頼する方法について説明する。また、ここで、各表示装置同士は、リモコンのコマンドとは別に相互にやり取りを行うことが可能なコマンドを用いることができる。また、ＯＳＤメニュー画面の表示に関するパラメータには、表示と非表示のパラメータが存在する。表示状態を調整する対象の表示装置（以下、調整対象の装置ともいう）は、ＯＳＤ表示装置のＯＳＤ表示と非表示を任意に変更可能である。また、マルチ画面を構成している各映像表示装置は、相互に接続され通信可能である。
【００１７】
マルチディスプレイシステムにおいて、各表示装置は、デイジーチェーン接続された他の表示装置と通信を行い、マルチディスプレイシステムの全体における各表示装置の配置と自機の位置とを認識する。その調整対象の装置は、マルチディスプレイシステムのうち、自機以外の表示装置であって、自機の斜め方向にあるいずれかの表示装置をＯＳＤ表示装置として決定する。次に、調整対象の装置は、ＯＳＤメニュー画面を表示する際、ＯＳＤ表示を表示する依頼（コマンド）を送信するとともに、調整項目とその数値をＯＳＤ表示装置に送る（ステップＳ１０）。ＯＳＤ表示装置は、調整対象の装置からコマンドを正常に受け取った場合にはリプライを送信する（ステップＳ１１）。一方、調整対象の装置は、このリプライを正しく受信できなかった場合には、調整対象の装置からＯＳＤ表示装置に対して再送ビットを含んだ形で同じコマンドを再送する（ステップＳ１０）。
【００１８】
調整対象の装置において、ＯＳＤ表示装置に表示されたＯＳＤメニュー画面を見つつ、調整対象の装置と比較対象の表示装置の画面の表示状態がユーザによって確認され、調整対象の装置の表示状態を変更する場合、調整対象の装置に対して表示状態を変更するための調整項目が選択され、調整項目における値を変更する指示が入力される。この調整項目における値の変更の指示がユーザによって入力される毎に、調整対象の装置がＯＳＤ表示装置に対して、調整中の項目を示す情報と数値を送信する（ステップＳ１２）。ＯＳＤ表示装置は、調整対象の装置からコマンドを正常に受け取る毎に、リプライを送信する（ステップＳ１３）。調整対象の装置は、表示状態の調整が終了すると、ＯＳＤ表示を非表示にするようＯＳＤ表示装置に対してコマンドを送信する（ステップＳ１４）。ＯＳＤ表示装置は、このコマンドに応じてＯＳＤメニュー画面を非表示にし、調整対象の装置に対してリプライを送信する（ステップＳ１５）。
【００１９】
次に、図４を用いて、調整対象の装置とＯＳＤ表示装置との間で行う場合における調整対象の装置の動作を説明する。
ユーザによって調整を行う対象の表示装置を選択され、調整対象の表示装置に対して、リモコンや表示装置本体のボタンを押下する等によって、ＯＳＤメニュー画面を表示する指示を入力すると（ステップＳ２１）、この指示が入力された表示装置は、この指示を受信し、調整対象の装置としての処理を実行する。調整対象の装置は、ＯＳＤ表示装置選択フロー（後述）に従い、ＯＳＤ表示装置を決定する。ＯＳＤ表示装置が決定されると、調整対象の装置は、一つ前に決めた場所の表示装置に対してＯＳＤの表示を依頼する（ステップＳ２２）。
調整対象の装置は、外部から入力される調整項目における設定値である数値を変更する指示が入力されると、その数値に応じて輝度や色の表示状態を変更する（ステップＳ２３）。
【００２０】
調整対象の装置は、ステップＳ２３における表示状態の調整を行うと、その調整を行う際に変更後の数値が入力される毎に調整対象の項目を表す情報と数値をＯＳＤ表示装置ＯＳＤ表示装置に送信する（ステップＳ２４）。この調整対象の装置とＯＳＤ表示装置との間における調整項目を表す情報とその数値の送信に関する動作は、図３に示す手順を用いることができる。
【００２１】
調整対象の装置は、バックライト、明るさ、カラーコントロール、色温度のうち何れかの調整を続けて行う場合には、ステップＳ２３に移行し、表示状態の調整を行い（ステップＳ２５）、調整を行わない場合には、処理を終了する。
【００２２】
図５は、調整対象の装置がＯＳＤ表示装置を選択するＯＳＤ表示装置選択フローを示すフローチャートである。
調整対象の装置は、自機の位置（調整中モニタの表示位置）の行方向における位置Ｘ、列方向における位置Ｙを取得するとともに、マルチディスプレイシステムにおける自機以外の表示装置のうちＯＳＤ表示装置の候補である表示装置の行方向における位置であるＯＳＤ表示位置の表示位置ｘと、列方向におけるＯＳＤ表示装置の表示位置ｙを取得し、マルチディスプレイＸ軸接方向続数Ｒｏｗ、マルチディスプレイＹ軸方向接続数Ｃｏｌｕｍｎを取得する（ステップＳ３１）。
【００２３】
調整対象の装置は、取得したマルチディスプレイＸ軸接方向続数ＲｏｗまたはマルチディスプレイＹ軸方向接続数Ｃｏｌｕｍｎとのうちいずれか一方が、１であるか否かを判定する（ステップＳ３２）。どちらも１ではない場合、調整対象の装置は、Ｘ軸方向の現在の位置は、マルチディスプレイＸ軸接方向続数Ｒｏｗの範囲に収まっているか否かを判定し（ステップＳ３３）、収まっている場合には、（ｘ＝Ｘ＋１）の式に従い、ＯＳＤ表示位置の表示位置ｘを、調整対象の装置のＸ軸方向の位置Ｘに１を加えることで求め（ステップＳ３４）、収まっていない場合には、（ｘ＝Ｘ−１）の式に従い、ＯＳＤ表示位置の表示位置ｘを、調整対象の装置のＸ軸方向の位置Ｘから１を減じることで求める（ステップＳ３７）。例えば、ステップＳ３３において、調整対象の装置のＸ軸方向の位置に１を加えた場合の配置位置が、マルチディスプレイＸ軸接方向続数Ｒｏｗの範囲に収まっているか否かを判定し、収まる場合には、ステップＳ３４において、（ｘ＝Ｘ＋１）の式に従い、ＯＳＤ表示位置の表示位置ｘを、調整対象の装置のＸ軸方向の位置Ｘに１を加えることで求める。一方、収まらない場合には、ステップＳ３７において、（ｘ＝Ｘ−１）の式に従い、ＯＳＤ表示位置の表示位置ｘを、調整対象の装置のＸ軸方向の位置Ｘから１を減じることで求める。
【００２４】
次に、調整対象の装置は、Ｙ軸方向の現在の位置は、マルチディスプレイＹ軸接方向続数Ｃｏｌｕｍｎの範囲に収まっているか否かを判定し（ステップＳ３５）、収まっている場合には、（ｙ＝Ｙ＋１）の式に従い、ＯＳＤ表示位置の表示位置ｙを、調整対象の装置のＹ軸方向の位置Ｙに１を加えることで求め（ステップＳ３６）、収まっていない場合には、（ｙ＝Ｙ−１）の式に従い、ＯＳＤ表示位置の表示位置ｙを、調整対象の装置のＹ軸方向の位置Ｙから１を減じることで求める（ステップＳ３８）。
【００２５】
一方、ステップＳ３２において、マルチディスプレイＸ軸接方向続数ＲｏｗまたはマルチディスプレイＹ軸方向接続数Ｃｏｌｕｍｎとのうちいずれか一方が１である場合、調整対象の装置は、マルチディスプレイＸ軸接方向続数Ｒｏｗが１であるか否かを判定する（ステップＳ３９）。マルチディスプレイＸ軸接方向続数Ｒｏｗが１ではない場合、調整対象の装置は、調整対象の装置のＸ軸方向の位置Ｘに２を加えた結果がマルチディスプレイＸ軸接方向続数Ｒｏｗの範囲に収まっているか否かを判定し（ステップＳ４０）、収まっている場合には、その２を加えた数を新たなマルチディスプレイＸ軸接方向続数Ｒｏｗとしてフローを終了し、収まっていない場合には、（ｘ＝Ｘ−１）の式に従い、ＯＳＤ表示位置の表示位置ｘを、調整対象の装置のＸ軸方向の位置Ｘから１を減じることで求める（ステップＳ４１）。
【００２６】
一方、ステップＳ３９において、マルチディスプレイＸ軸接方向続数Ｒｏｗが１である場合、調整対象の装置は、調整対象の装置のＹ軸方向の位置Ｙに２を加えた結果がマルチディスプレイＹ軸接方向続数Ｃｏｌｕｍｎの範囲に収まっているか否かを判定し（ステップＳ４２）、収まっている場合には、その２を加えた数を新たなマルチディスプレイＹ軸接方向続数Ｃｏｌｕｍｎとしてフローを終了し、収まっていない場合には、（ｙ＝Ｙ−１）の式に従い、ＯＳＤ表示位置の表示位置ｙを、調整対象の装置のＹ軸方向の位置Ｙから１を減じることで求める（ステップＳ４３）。
【００２７】
図６は、第２実施形態における調整対象の装置の動作を説明するフローチャートである。この実施形態においては、図３、図４の処理を行うにあたり、調整項目に応じて、ＯＳＤメニュー画面を自機の表示画面に表示するか、他の表示装置に表示させるかの判断も行う場合について説明する。
ユーザによって調整を行う対象の表示装置を選択され、調整対象の表示装置に対して、ＯＳＤメニュー画面を表示する指示が入力されると、この入力された表示装置は、この指示を受信し（ステップＳ２１）、調整対象の装置としての処理を実行する。次に調整対象の装置は、自機の表示画面にＯＳＤメニュー画面を表示し（ステップＳ５２）、ユーザから入力される選択された調整項目が所定の項目であるか否かを判定する。この所定の項目は、表示装置の表示状態に関する項目であり、例えば、バックライト、明るさ、カラーコントロール、色温度等がある。
【００２８】
所定の項目以外である場合、例えば、ＬＡＮの設定、日付設定、時刻設定、音量、省電力設定等、表示状態には直接関係しない項目である場合には、自機の表示画面においてＯＳＤメニュー画面を表示し（ステップＳ５４）、調整対象の項目に対するユーザの指示に基づいて設定される数値を変更し（ステップＳ５５）、引き続き他の項目について調整を行うか否かを判定し、引き続き他の項目の調整を行う場合にはステップＳ５３に移行し、調整を行わない場合には処理を終了する。
【００２９】
一方、ステップＳ５３において、所定の項目であると判定された場合、調整対象の装置は、ＯＳＤ表示装置を選択する処理を実施し、自機以外の表示装置であって自機の斜め方向のいずれかに配置された表示装置を選択することで、ＯＳＤ表示装置を決定する（ステップＳ５７）。ＯＳＤ表示装置が決定されると、調整対象の装置は、決定されたＯＳＤ表示装置に対してＯＳＤメニュー画面を表示させるとともに自機におけるＯＳＤメニュー画面を非表示にする。ＯＳＤ表示装置に対してＯＳＤメニュー画面を表示にする、あるいは自機の表示画面のＯＳＤメニュー画面を非表示にする場合には、表示の可否を指定するにあたり、表示または非表示を指定するパラメータを用いることができる。
【００３０】
調整対象の装置に対し、調整項目に対する数値の変更の入力がされると、調整対象の装置は、調整対象の項目に対して入力される数値に応じて自機の表示画面上の表示状態を変更するとともに、入力される数値に応じてＯＳＤメニュー画面上の表示を変更させる指示をＯＳＤ表示装置に対して行う（ステップＳ５８）。これによりＯＳＤ表示装置におけるＯＳＤメニュー画面上の表示内容が更新される（ステップＳ５９）。そしてステップＳ５６に移行する。
【００３１】
図７は、ディスプレイシステムの構成を表す概念図である。ここでは、９台の表示装置が行方向に３台、列方向に３台配列され、合計９台の表示装置が配置される。ここでは、最下段に表示装置１１、表示装置２１、表示装置３１が左から順に配列され、下から２段目に表示装置１２、表示装置２２、表示装置３２が左から順に配列され、最上段に表示装置１３、表示装置２３、表示装置３３が左から順に配列される。表示装置１１は、リモートコントロール部２と、画像出力装置３とに接続される。また、表示装置１１を上流とし、下流側（後段）に、表示装置２１、表示装置３１、表示装置３２、表示装置２２、表示装置１２、表示装置１３、表示装置２３、表示装置３３の順にデイジーチェーン接続される。デイジーチェーン接続には、例えば、ＲＳ２３２ＣもしくはＬＡＮケーブルを用いてもよい。また、これら表示装置は、デイジーチェーン接続された上流側から順に識別子（ＩＤ）が設定される。
【００３２】
図８は、ＯＳＤメニュー画面をＯＳＤ表示装置に表示する場合について説明する概念図である。ＯＳＤメニュー画面は、調整対象の装置に表示される場合、自機の表示画面の一部の領域に表示されるが、ＯＳＤメニュー画面に表示する場合には、この図に示すように、ＯＳＤ表示装置の表示画面の全体で表示するようにしてもよい。これにより、表示装置の表示画面の一部に表示する場合に比べて大きく表示することができる。例えば、マルチディスプレイシステムは、構成する画面全体のサイズが大きいため、ユーザは、ある程度離れた位置から観察し、ＯＳＤメニュー画面を利用して各種設定を行う場合があり、ＯＳＤメニュー画面を画面全体で表示することで、ユーザは、離れた位置からでもＯＳＤメニュー画面の細部についても視認しやすくなり、調整対象の装置の調整を容易に行うことができる。
【００３３】
なお、上述した実施形態において、調整対象の装置がＯＳＤ表示装置を選択する場合について説明したが、ユーザからの指示の入力を受け付け、この指示に応じて、ＯＳＤ表示装置を決定するようにしてもよい。これにより、ユーザは、自身が視認しやすい表示装置を選択してＯＳＤ表示装置を表示させることができる。
【００３４】
また、上述の実施形態において、調整対象の装置に対して斜め方向のいずれかの表示装置をＯＳＤ表示装置として選択し、ＯＳＤメニュー画面を表示させることで、調整対象の装置に対して、上下左右方向の少なくともいずれかに配置された表示装置の表示画面と比較して、表示状態に関する調整を行うことができる。また、この場合、調整対象の装置にはＯＳＤメニュー画面が非表示となっているため、比較対象の表示画面の表示画面に対し、画面全体を視認しながら比較することができるため、表示状態に関する調整を行ない易いという効果がある。
【００３５】
図９は、調整対象の装置とＯＳＤメニュー画面が表示されるＯＳＤ表示装置との関係を説明する概念図である。
各表示装置が、図７に示すように配列されている場合において、例えば、表示装置３１が調整対象の装置となった場合、表示状態に関する項目について調整を行なう場合には、斜め方向に配置された表示装置として表示装置２２が選択され、この表示装置２２がＯＳＤ表示装置として決定され、ＯＳＤメニュー画面が表示される。一方、表示状態に関する項目以外について調整を行なう場合には、調整対象の装置である表示装置３１の表示画面上にＯＳＤメニュー画面を表示する。このように、行方向、列方向に表示装置が複数台配列される場合には、少なくともいずれか１つの表示装置が斜め方向に存在するため、その表示装置をＯＳＤ表示装置として選択することができる。また、表示装置２２のように、いずれの方向にも表示装置が配列されている場合には、斜め方向のうちいずれの表示装置をＯＳＤ表示装置として選択してもよいし、ＯＳＤメニュー画面を表示する際に、斜め方向に配置された表示装置を表示候補として指定可能に表示し、その中からユーザによって選択してもらうようにしてもよい。
【００３６】
図１０は、第３の実施形態における表示装置の構成を表す概略機能ブロック図である。この図において、表示装置１００Ａは、複数の表示装置が配置されるマルチディスプレイシステムにおけるいずれか１つの表示装置である。表示装置１００Ａにおいて、配置情報取得部１１０Ａは、マルチディスプレイに配置される表示装置の配置構成を表す配置情報を取得する。選択部１２０Ａは、マルチディスプレイにおける表示装置のうち自機以外の表示装置のなかからＯＳＤメニュー画面の表示を行う表示対象である表示装置を選択する。メニュー画面表示制御部１３０Ａは、自機の調整を行うためのＯＳＤメニュー画面を前記選択された表示対象である表示装置に表示させる。
【００３７】
これにより、ＯＳＤメニュー画面を介して調整項目に対する設定値を変更する場合、調整対象の表示装置以外の表示装置にＯＳＤメニュー画面を表示させて設定値の変更を行なうことができる。そのため、調整対象である表示装置には、ＯＳＤメニュー画面が表示されないため、調整対象である表示装置の表示画面の全体と、近傍の表示装置の表示画面とを比較して調整を行なうことができるため、調整対象の表示画面にＯＳＤメニュー画面を表示させる場合に比べて、画面の広い領域を利用して調整できるため、画面映像表示装置の画像の表示調整を行い易いという効果が得られる。また、表示状態の比較を容易に行えることによって、調整後の個々の映像表示装置の見え方のばらつきも低減させることも可能である。
【００３８】
上述した実施形態における表示装置（調整対象の装置またはＯＳＤ表示装置）におけるＯＳＤ表示に関する機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００３９】
以上、この発明の実施形態について図面を参照して詳述してきたが、具体的な構成はこの実施形態に限られるものではなく、この発明の要旨を逸脱しない範囲の設計等も含まれる。
【符号の説明】
【００４０】
１１、１２、１３、２１、２２、２３、３１、３２、３３、１００Ａ  表示装置
１１０Ａ  配置情報取得部
１２０Ａ  選択部
１３０Ａ  メニュー画面表示制御部
【図１】
2017161747.tif 000003
【図２】
2017161747.tif 000004
【図３】
2017161747.tif 000005
【図４】
2017161747.tif 000006
【図５】
2017161747.tif 000007
【図６】
2017161747.tif 000008
【図７】
2017161747.tif 000009
【図８】
2017161747.tif 000010
【図９】
2017161747.tif 000011
【図１０】
2017161747.tif 000012